(57)【要約】      （修正有）【課題】任意箇所に自由に移動し、設置及び・撤去が可能な家庭用雲梯を提供する。【解決手段】家庭用雲梯１０００は、底面を構成するベースフレーム１１００と、ベースフレームから垂直上方に立設された複数の縦支持フレーム１２００と、縦支持フレームの上端に固定されて互いに平行に配置された一対の横支持フレーム１４００と、一対の横支持フレームの間に、横支持フレームに垂直に固定された複数のぶら下がり用水平棒１５００と、一対の横支持フレームの各々の中間部と、ベースフレームとの間を連結して固定するように、横支持フレームから外下方斜めに延伸された一対の補強フレーム１３００と、を備え、縦支持フレームは、高さ調整用パイプ短片により高さ調整が可能なように、その最下部において中空に挿入されたコア棒状体を内包する位置でベースフレームに固定された下部縦支持フレームと、下部縦支持フレームの上方に配置される上部縦支持フレームとに分離可能であり、補強フレームは、締結部材１３１０により固定して構成される。【選択図】図１
0003215379.tif 000002
【実用新案登録請求の範囲】
【請求項１】
中空の金属製パイプを樹脂で被覆したパイプで構成された家庭用雲梯であって、
底面を構成するベースフレームと、
前記ベースフレームから垂直上方に立設された複数の縦支持フレームと、
前記縦支持フレームの上端に固定されて互いに平行に配置された一対の横支持フレームと、
前記一対の横支持フレームの間に、前記横支持フレームに垂直に固定された複数のぶら下がり用水平棒と、
前記一対の横支持フレームの各々の中間部と、前記ベースフレームとの間を連結して固定するように、前記横支持フレームから外下方斜めに延伸された一対の補強フレームと、を備え、
前記縦支持フレームは、高さ調整用パイプ短片の挿入または撤収により高さ調整が可能なように、その最下部において前記中空に挿入されたコア棒状体を内包する位置で前記ベースフレームに固定された下部縦支持フレームと、前記下部縦支持フレームの上方に配置される上部縦支持フレームとに分離可能であり、
前記補強フレームは、それぞれ長さ調整が可能なように、二つのパイプを一部重畳させた部位で脱着可能な締結部材により固定して構成される
ことを特徴とする家庭用雲梯。
【請求項２】
請求項１に記載の家庭用雲梯において、
前記高さ調整用パイプ短片の長さは、前記コア棒状体の長さよりも短い
ことを特徴とする家庭用雲梯。
【請求項３】
請求項１または請求項２に記載の家庭用雲梯において、
前記一対の横支持フレーム及び前記複数のぶら下がり用水平棒よりも高い位置に配置されるように、前記家庭用雲梯に支持された太陽光充電式人感センサーライトを備える
ことを特徴とする家庭用雲梯。
【請求項４】
請求項１乃至請求項３のいずれか一項に記載の家庭用雲梯において、
前記ベースフレームの内側底面全体を被覆するように前記ベースフレームに固定されたクッション材をさらに備える
ことを特徴とする家庭用雲梯。
【考案の詳細な説明】
【技術分野】
【０００１】
本考案は、子供の成長に合わせて高さを自由に変更でき、バルコニー等の比較的狭い場所や夜間においても安心して安全に運動して遊べる、任意の場所に容易に持ち運び設置可能な家庭用雲梯に関する。
【背景技術】
【０００２】
公園や学校の運動場等に設置されることが多い雲梯は、従来、その主たる利用者である幼児や子供の安全面を考慮して、台風や地震等に耐え得るように地面に強固に固定されて設置されている。また、複数の子供が一度に利用して大きな荷重が加えられた場合でも、破損や損傷が生じないように、鉄製等金属製の太い棒状体を用いて構成されている。
【０００３】
このようにして固定設定された雲梯は、不特性多数の子供たちが利用する公共の場所において、安全面を考慮する場合には極めて適切であって、公園等の遊具や運動用具として一定の支持を得ている。一説によれば、雲梯は子供の握力の向上に起因する脳力の発達や運動機能の向上に効果があるとの報告も知られている。
【０００４】
例えば、下記特許文献１には、幼児や赤ちゃんでも有効に活用できる雲梯及びその使用方法を提案することを目的とする発明が開示されている。この文献によれば、高低差をつけた梯子の横バーが水上に設けられるように、平面状に展開された雲梯のベースをプール等の水中に沈めることで、幼児等が体を少し水中に沈めてその浮力を利用して軽い重量で梯子にぶら下がり、万一落下しても水中に落ちるので怪我の心配がないことが記載されている。
【０００５】
しかし、特許文献１に開示されるようにプールに安定して沈めることが可能であり、かつ子供が利用中に水中で安定して設置されて水流にも耐えて動かないような雲梯とするためには、相当に比重の大きい重量の大きな雲梯となるものと考えられる。このため、特許文献１には、「雲梯を水中又は地上の任意の場所に置くだけで安定に設置できる」と記載されているものの、例えば子供の面倒を見ている女性の先生や保育士が、２〜３人がかりでも水中から持ち上げて地上の任意場所に移動設置する等の配置変更は現実的ではない。
【０００６】
実際には、その移動にはクレーン等の重機が必要となるものと考えられる。一方、不特定多数の幼児等が遊ぶことを想定せず、容易に設置・移動が可能であって、父が帰宅してきた夜間等でもバルコニー等で子供を安全に遊ばせることが可能な「家庭用」とでもいうべき簡易・軽量な雲梯は知られていない。また、このような家庭用の雲梯は、当該家庭内において子供の成長に合わせて数年程度は使用されることを想定するべきであるが、このような想定の下で子供の身長の経時変化（成長）に適合するように高さ調整が可能な雲梯についても従来知られていない。
【先行技術文献】
【特許文献】
【０００７】
【特許文献１】特開平０８−２３８３３２号公報
【考案の概要】
【考案が解決しようとする課題】
【０００８】
従って、本考案は、簡易・軽量な任意箇所に自由に移動し、設置及び・撤去が可能な家庭用雲梯であって、夜間でも安心して安全に遊ぶことが可能であるとともに、子供の身長に合わせて高さ調整が可能な家庭用雲梯を提案することを目的とする。
【課題を解決するための手段】
【０００９】
本考案にかかる家庭用雲梯は、中空の金属製パイプを樹脂で被覆したパイプで構成された家庭用雲梯であって、底面を構成するベースフレームと、ベースフレームから垂直上方に立設された複数の縦支持フレームと、縦支持フレームの上端に固定されて互いに平行に配置された一対の横支持フレームと、一対の横支持フレームの間に、横支持フレームに垂直に固定された複数のぶら下がり用水平棒と、一対の横支持フレームの各々の中間部と、ベースフレームとの間を連結して固定するように、横支持フレームから外下方斜めに配置された一対の補強フレームと、を備え、縦支持フレームは、高さ調整用パイプ短片の挿入または撤収により高さ調整が可能なように、その最下部において中空に挿入されたコア棒状体を内包する位置でベースフレームにジョイントで固定された下部縦支持フレームと、下部縦支持フレームの上方に配置される上部縦支持フレームとに分離可能であり、補強フレームは、それぞれ長さ調整が可能なように、二つのパイプを一部重畳させた部位で脱着可能な締結部材により固定して構成されるものとする。
【考案の効果】
【００１０】
本考案により、簡易・軽量な任意箇所に自由に移動し、設置及び・撤去が可能な家庭用雲梯であって、夜間でも安心して安全に遊ぶことが可能であるとともに、子供の身長に合わせて高さ調整が可能な家庭用雲梯を実現できる。
【図面の簡単な説明】
【００１１】
【図１】本考案の家庭用雲梯の全体概要を説明する図である。
【図２】縦支持フレームの長さ調整を可能とする構成について説明する図である。
【図３】長さ調整が可能な補強フレームの構成について説明する図である。
【図４】本考案にかかる家庭用雲梯の使用態様を説明する図であり、（ａ）がバルコニーに設置した状態を説明する図であり、（ｂ）が夜間に太陽光充電式人感センサーライトを点灯させて利用する状態を説明する図であり、（ｃ）及び（ｄ）が太陽光を受光し易くなるように太陽光充電式人感センサーライトの向きを変えて充電している状態を説明する図である。
【図５】図１の構図を試作品サンプル写真にて説明する図である。
【考案を実施するための形態】
【００１２】
図１は、本考案の家庭用雲梯１０００の全体概要を説明する図である。また、図５は、図１の構図を試作品サンプル写真にて説明する図であるため、適宜図１と対比しながら図５も参照して説明するものとする。
【００１３】
図１において、マンションのバルコニーや室内でも使用可能な家庭用雲梯１０００は、全体フレーム骨組みとして中空鋼鉄製のイレクターパイプで構成されており、各イレクターパイプ間は、種々の形状のジョイント１０で接続されている。
【００１４】
また、家庭用雲梯１０００は、底面を構成する矩形状のベースフレーム１１００と、ベースフレーム１１００に垂直に立設された縦支持フレーム１２００（１）〜１２００（４）（以下、適宜縦支持フレーム１２００と総称する、他の符号部位についても同様に適宜総称する）と、ベースフレーム１１００の長辺側中ほどから斜め内向きに立設された一対の補強フレーム１３００（１），１３００（２）を備える。
【００１５】
また、ベースフレーム１１００の内側底面全体を被覆するようにクッションマット１１５０が、敷設されるか、またはクッションマット１１５０がベースフレーム１１００に取り付け固定されている。クッションマット１１５０は、いわゆるパズルのように互いにはめ込んで複数枚を組み合わせて構成してもよい。
【００１６】
補強フレーム１３００（１）は、長いイレクターパイプと短いイレクターパイプとを一部重畳させて、当該重畳部位において解除可能な締結部材１３１０（１）で互いに固定されているので、締結部材１３１０（１）を緩めて重畳部位の長さを調整することで、その全体長さの調節が可能である。また、補強フレーム１３００（２）も補強フレーム１３００（１）と同様である。
【００１７】
また、縦支持フレーム１２００（１）〜１２００（４）と補強フレーム１３００（１），１３００（２）との各上端に、一対の平行配置された横支持フレーム１４００（１），１４００（２）がジョイント１０で固定されて設けられる。
【００１８】
また、一対の平行配置された横支持フレーム１４００（１），１４００（２）の間に、互いに平行配置された、かつ横支持フレーム１４００（１），１４００（２）に垂直に配置された、複数のぶら下がり用水平棒１５００を備えるものとする。家庭用雲梯１０００のユーザは、隣接するぶら下がり用水平棒１５００に順次にぶら下がりつつ横支持フレーム１４００（１），１４００（２）長さ方向に移動して、一端のぶら下がり用水平棒１５００から他端のぶら下がり用水平棒１５００まで、移動することができる。この場合に、ぶら下がり用水平棒１５００がイレクターパイプ（樹脂で被覆された鋼鉄パイプ）で構成されていることにより、鋼鉄パイプの錆が手に付着しないとともに樹脂の断熱効果により冬季でも手が冷たくなることを低減できるものとなる。
【００１９】
また、家庭用雲梯１０００は、ぶら下がり用水平棒１５００より高い位置において、横支持フレーム１４００（１），１４００（２）に支持された一対の太陽光充電式人感センサーライト１６００（１），１６００（２）が設けられている。太陽光充電式人感センサーライト１６００（１），１６００（２）は、ある程度の暗い状態で赤外線を検知（または赤外線の移動を検知）すると、点灯するものとする。これにより、ユーザの手元や足元が明るく照らされて、夕刻や夜間であっても家庭用雲梯１０００をさらに安全に利用することが可能となる。
【００２０】
また、図２は、縦支持フレーム１２００（３），１２００（４）の長さ調整を可能とする構成について説明する図である。図２では、縦支持フレーム１２００（３），１２００（４）についてのみ例示説明しているが、縦支持フレーム１２００（１），１２００（２）についても同様である。また、図２（ａ）及び図２（ｂ）は、高さが増大されていない場合の縦支持フレーム１２００ついて説明し、図２（ｃ）は高さが増大されている場合の縦支持フレーム１２００について説明している。なお、図２（ｂ）及び図２（ｃ）では、図２（ａ）に示す上部縦支持フレーム１２００（３ａ），１２００（４ａ）を総称して上部縦支持フレーム１２００（ａ）として示し、図２（ａ）に示す下部縦支持フレーム１２００（３ｂ），１２００（４ｂ）を総称して下部縦支持フレーム１２００（ｂ）として示している。
【００２１】
図２に示すように、縦支持フレーム１２００は、内部中空部にコア棒状体１２２０を内包し、コア棒状体１２２０とともにジョイント１０でベースフレームに固定された下部縦支持フレーム１２００（ｂ）と、下部縦支持フレーム１２００（ｂ）の上方に配置される上部縦支持フレーム１２００（ａ）を含む。コア棒状体１２２０は、好ましくは縦支持フレーム１２００の中空内径と同じ外径か、中空内径より若干小さな外径を有するものとする。また、コア棒状体１２２０はジョイント１０に差し込まれて、垂直上方に凸設されていることにより、下部縦支持フレーム１２００（ｂ）と上部縦支持フレーム１２００（ａ）とを同軸に保持する。
【００２２】
図２（ｃ）から理解できるように、家庭用雲梯１０００の高さを嵩上げする場合には、上部縦支持フレーム１２００（ａ）をコア棒状体１２２０から上方に引き抜き、下部縦支持フレーム１２００（ｂ）の上方に高さ調整用パイプ短辺１２１０を追加挿入してから、上部縦支持フレーム１２００（ａ）をコア棒状体１２２０に再度嵌め込むものとする。高さ調整用パイプ短辺１２１０は、縦支持フレーム１２００（ａ），１２００（ｂ）と同一径のイレクターパイプであって、高くしたい長さ（例えば１０ｃｍ）に相当する任意の長さに短く切断されたものである。ここで、ジョイント１０にコア棒状体１２２０と、コア棒状体１２２０を支える下部縦支持フレーム１２００（ｂ）と、が固定されているものとし、コア棒状体１２２０の長さは例えば５０ｃｍとすることができる。従って、例えば高さが９０ｃｍであった雲梯を、１０ｃｍの長さの調整用パイプ短辺１２１０を挿入することにより、１ｍの高さへと変更することが可能となる。
【００２３】
このように高さ調整用パイプ短辺１２１０の上方に上部縦支持フレーム１２００（ａ）が積み上げ配置されるものとなるが、コア棒状体１２２０の存在により、高さ調整用パイプ短辺１２１０と上下縦支持フレーム１２００（ａ），（ｂ）とが位置ずれすることなく、双方が垂直にかつ同軸に安定的に維持されるものとなる。
【００２４】
図２（ｃ）において、高さ調整用パイプ短辺１２１０の長さ（例えば１０ｃｍ）は、コア棒状体１２２０の長さ（例えば５０ｃｍ）よりも短いものとし、上方に積み上げられている上部縦支持フレーム１２００（ａ）が、コア棒状体１２２０に十分に嵌まり込んで、軸固定される構成とする。なお、図２（ａ）においては、説明の便宜上、下部縦支持フレーム１２００（３ｂ），１２００（４ｂ）と上部縦支持フレーム１２００（３ａ），１２００（４ａ）との間にそれぞれ間隔が設けられているように示している。しかし、縦支持フレーム１２００には、自然状態では垂直下方に荷重印加されることから、高さ調整用パイプ短辺１２１０と上下縦支持フレーム１２００（ａ），１２００（ｂ）とが互いに当接して、直上のパイプを直下のパイプで支える構成とすることができる。
【００２５】
また、家庭用雲梯１０００の高さを嵩上げしない場合には、図２（ａ）、図２（ｂ）に示すように高さ調整用パイプ短辺１２１０を撤収して、上部縦支持フレーム１２００（ａ）が、ベースフレーム１１００のジョイント１０に差し込み固定された下部縦支持フレーム１２００（ｂ）の直上に配置される状態で、双方がコア棒状体１２２０を内包する構成とすることができる。すなわち、コア棒状体１２２０は、家庭用雲梯１０００の高さを嵩上げする場合に上下縦支持フレーム１２００（ａ），１２００（ｂ）及び高さ調整用パイプ短辺１２１０の垂直軸整合維持機能を有するものであるが、さらに、嵩上げしない場合でも上下縦支持フレーム１２００（ａ），１２００（ｂ）の垂直軸整合維持機能を有するものである。
【００２６】
縦支持フレーム１２００の中でもジョイント１０等の他部材との接合部位は、特に大きな負荷や捻じれ、異なる方向や異なる特性の種々の力が加えられ易い箇所である。このため、コア棒状体１２２０は、ベースフレーム１１００と縦支持フレーム１２００との接合部位をより強固かつ安定的に補強する機能をも有しているものとなる。
【００２７】
上述の観点から、嵩上げする場合には、高さ調整用パイプ短辺１２１０が、下部縦支持フレーム１２００（ｂ）と上部縦支持フレーム１２００（ａ）との間に挿入されていずれのパイプもコア棒状体１２２０を充分に内包するものとすることが好ましい。また、縦支持フレーム１２００は、垂直に配置構成されていることから、高さを増大させた場合でもその荷重が下部縦支持フレーム１２００（ｂ）（ここで、下部縦支持フレーム１２００（ｂ）はコア棒状体１２２０とともにジョイント１０に固定されている）に支持されるものとなるので安定して荷重を支える構造とできる。
【００２８】
また、図３は、長さ調整が可能な補強フレーム１３００（１）の構成について説明する図である。図３では、説明の便宜上補強フレーム１３００（１）についてのみ示しているが、補強フレーム１３００（２）についても同様の構成である。
【００２９】
図３に示すように、補強フレーム１３００（１）は、補強フレーム１３００（１ａ）と補強フレーム１３００（１ｂ）とで構成されており、補強フレーム１３００（１ａ）と補強フレーム１３００（１ｂ）とは、その一部が重畳された状態で、締結部材１３１０（１）により互いに固定される。
【００３０】
図３において、補強フレーム１３００（１ａ）と補強フレーム１３００（１ｂ）とは、互いの側面が重畳されており、長さ方向において印加される荷重を長さ方向で直接同軸で受ける構造は採用されていない。互いの側面で重畳された状態で、締結部材１３１０（１）による固定構造により、締結部材１３１０（１）を介して補強フレーム１３００（１ａ）の荷重を補強フレーム１３００（１ｂ）に伝達する構成を採用する。
【００３１】
図３に示す、補強フレーム１３００（１）の構成は、斜め方向に配向された棒状体である補強フレーム１３００（１）の長さ調整には適切な構成であるものと考えられる。また、補強フレーム１３００（１）は、縦支持フレーム１２００のあくまで補助的な意味あいで設けられた筋交いのような機能を有するため、縦支持フレーム１２００ほどには長さ軸方向の加重が大きくはない。
【００３２】
このため、締結部材１３１０（１）を介して補強フレーム１３００（１ａ）の全荷重を補強フレーム１３００（１ｂ）に伝達する構成としても、強度的には何ら問題ないものとなる。そして、締結部材１３１０（１）によって、互いが強固に固定されるので、双方のズレ方向や捻じれ方向の力や下方向の力が印加されても互いの相対的向きや相対的位置を強固に固定維持することから好ましいものとなる。
【００３３】
一方、図２において説明したように、縦支持フレーム１２００にはその長さ方向（鉛直方向）に大きな荷重が印加されるため、縦支持フレーム１２００の荷重を、ジョイント１０に固定された下部縦支持フレーム１２００（ｂ）で、直接受ける構成を採用することが好ましい。仮に、縦支持フレーム１２００の高さ調整において図３のような締結部材１３１０を採用すると仮定すると、いわゆるスッポ抜けのような現象発生を懸念しなければならないものと考えられる。なお、図３に示す締結部材１３１０（１）を用いた構成は、補強フレーム１３００（２）でも同様であるためここではその説明を省略する。
【００３４】
図４は、本考案にかかる家庭用雲梯１０００の使用態様を説明する図であり、（ａ）がバルコニーに設置した状態を説明する図であり、（ｂ）が夜間に太陽光充電式人感センサーライト１６００を点灯させて利用する状態を説明する図であり、（ｃ）及び（ｄ）が太陽光を受光し易くなるように太陽光充電式人感センサーライト１６００の向きを変えて充電している状態を説明する図である。太陽光充電式人感センサーライト１６００は、３６０°水平方向に回動可能であり、任意の角度で固定できる。
【００３５】
本考案の家庭用雲梯１０００は、中空の金属製パイプを樹脂で被覆したパイプで構成されており、底面を構成するベースフレーム１１００と、ベースフレーム１１００から垂直上方に立設された四本の縦支持フレーム１２００（１），１２００（２），１２００（３），１２００（４）と、縦支持フレーム１２００の上端に固定されて互いに平行に配置された一対の横支持フレーム１４００（１），１４００（２）と、一対の横支持フレーム１４００の間に、横支持フレームに垂直に固定された複数のぶら下がり用水平棒１５００と、一対の横支持フレーム１４００の各々の中間部と、ベースフレーム１１００との間を連結して固定するように、横支持フレームから外下方斜めに延伸された一対の補強フレーム１３００（１），１３００（２）と、を備え、縦支持フレーム１２００は、高さ調整用パイプ短片１２１０の挿入または撤収により高さ調整が可能なように、その最下部において中空に挿入されたコア棒状体１２２０を内包する位置でベースフレーム１１００にジョイント１０で固定された下部縦支持フレーム１２００（ｂ）と、下部縦支持フレーム１２００（ｂ）の上方に配置される上部縦支持フレーム１２００（ａ）とに分離可能であり、補強フレーム１３００（１）は、それぞれ長さ調整が可能なように、二つのパイプ１３００（１ａ），１３００（１ｂ）を一部重畳させた部位で脱着可能な締結部材１３１０（１）により固定して構成される家庭用雲梯とする。補強フレーム１３００（２）も補強フレーム１３００（１）と同様の構成である。
【００３６】
また、本考案の家庭用雲梯１０００は、好ましくは一対の横支持フレーム１４００及び複数のぶら下がり用水平棒１５００よりも高い位置に配置されるように、家庭用雲梯１０００に支持された太陽光充電式人感センサーライト１６００（１），１６００（２）を備えることを特徴とする。
【００３７】
また、本考案の家庭用雲梯１０００は、さらに好ましくはベースフレーム１１００の内側底面全体を被覆するようにベースフレーム１１００に固定されたクッション材１１５０をさらに備えることを特徴とする。
【００３８】
本考案に係る家庭用雲梯１０００は、上述の説明及び図面に示す形状・構造等に限定されるものではなく、本考案の射程の範囲内において、当業者の知り得る適宜公知または周知の手法等を用いて変形しアレンジし、モディファイしてもよいものである。
【符号の説明】
【００３９】
１０・・ジョイント、１０００・・家庭用雲梯、１１００・・ベースフレーム、１１５０・・クッションマット、１２００・・縦支持フレーム、１２１０・・高さ調整用パイプ短辺、１２２０・・コア棒状体、１３００・・補強フレーム、１３１０・・締結部材、１４００・・横支持フレーム、１５００・・ぶら下がり用水平棒、１６００・・太陽光充電式人感センサーライト。
【図１】
0003215379.tif 000003
【図２】
0003215379.tif 000004
【図３】
0003215379.tif 000005
【図４】
0003215379.tif 000006
【図５】
0003215379.tif 000007